(57)【要約】【課題】検索が容易な停留所通知方法、停留所通知システム、Ｗｅｂサーバ、携帯端末装置、プログラム、及び記録媒体を提供する。【解決手段】Ｗｅｂサーバがカメラで撮影された掲示板の画像や停留所の画像とデータベース情報とを照合して公共交通機関の行き先、停留所名、及び最寄りの別路線名を携帯端末装置へ送信するので、他の降車場所を検索する際に検索し直す必要がなくなり、検索が容易となる。【選択図】図１
2008180527.tif 000002
【特許請求の範囲】
【請求項１】
携帯端末装置で撮影した公共交通機関の掲示板や停留所の画像をＷｅｂサーバのデータベースと比較して、前記公共交通機関の行き先、停留所名、及び最寄りの別路線名を前記携帯端末装置へ送信することを特徴とする停留所通知方法。
【請求項２】
公共交通機関の掲示板や停留所を撮影するためのカメラを有し、インターネットに接続可能な携帯端末装置と、
前記携帯端末装置との間で無線によりデータの送受信を行う無線基地局と、
前記無線基地局と前記インターネットで接続され、前記カメラで撮影された掲示板の画像や停留所の画像とデータベース情報とを照合して前記公共交通機関の行き先、停留所名、及び最寄りの別路線名を前記携帯端末装置へ送信するためのＷｅｂサーバとを備えたことを特徴とする停留所通知システム。
【請求項３】
公共交通機関の掲示板や停留所を撮影するためのカメラを有し、インターネットを介してパケットを含むデータ通信可能な携帯端末装置と、
前記携帯端末装置との間で無線によりデータの送受信を行う無線基地局と、
前記無線機基地局に接続されパケットの授受を行うためのパケット網と、
前記パケット網に接続されたゲートウェイと、
前記ゲートウェイに接続されたインターネットと、
前記インターネットに接続され、前記カメラで撮影された掲示板の画像や停留所の画像とデータベース情報とを照合して前記公共交通機関の行き先、停留所名及び最寄りの別路線名を前記携帯端末装置へ送信するためのＷｅｂサーバとを備えたことを特徴とする停留所通知システム。
【請求項４】
前記携帯端末装置は、前記停留所名の一覧画像における各停留所に最寄りの別路線名を表示すると共に、前記最寄りの別路線名が選択されると、前記Ｗｅｂサーバにアクセスし、前記Ｗｅｂサーバは、アクセスされると前記最寄りの別路線に関するデータを取得して前記無線基地局を介して前記携帯端末装置に送信し、前記携帯端末装置は、前記最寄りの別路線に関する情報を表示するようにしたことを特徴とする請求項２または３に記載の停留所通知システム。
【請求項５】
公共交通機関の掲示板や停留所を撮影するためのカメラを有しインターネットに接続可能な携帯端末装置、及び前記携帯端末装置との間で無線によりデータの送受信を行う無線基地局を備えた停留所通知システムに用いられ、前記無線基地局と前記インターネットで接続され、前記カメラで撮影された掲示板の画像や停留所の画像とデータベース情報とを照合して前記公共交通機関の行き先、停留所名及び最寄りの別路線名を前記携帯端末装置へ送信することを特徴とするＷｅｂサーバ。
【請求項６】
公共交通機関の掲示板や停留所を撮影するためのカメラを有し、インターネットを介してパケットを含むデータ通信可能な携帯端末装置、前記携帯端末装置との間で無線によりデータの送受信を行う無線基地局、前記無線機基地局に接続されパケットの授受を行うためのパケット網、前記パケット網に接続されたゲートウェイ、及び前記ゲートウェイに接続されたインターネットを備えた停留所通知システムに用いられ、前記無線基地局とインターネットで接続され、前記カメラで撮影された掲示板の画像や停留所の画像とデータベース情報とを照合して前記公共交通機関の行き先、停留所名及び最寄りの別路線名を前記携帯端末装置へ送信することを特徴とするＷｅｂサーバ。
【請求項７】
前記携帯端末装置に表示された、前記停留所名の一覧画像における各停留所に最寄りの別路線名が選択されると、前記最寄りの別路線に関する情報を前記ヶ板端末装置に表示させるため、前記最寄りの別路線に関するデータを取得して前記無線基地局を介して前記携帯端末装置に送信することを特徴とする請求項５または６に記載のＷｅｂサーバ。
【請求項８】
公共交通機関の掲示板や停留所を撮影するためのカメラ部と、
インターネットを介してＷｅｂサーバに接続される無線基地局に対し前記カメラで撮影された掲示板の画像や停留所の画像を送信し、前記Ｗｅｂサーバにより前記掲示板の画像や前記停留所の画像とデータベース情報とが照合されて得られた前記公共交通機関の行き先、前記停留所名、及び前記最寄りの別路線名のデータを受信する無線部と、
前記無線部で受信した前記公共交通機関の行き先、停留所名、及び最寄りの別路線名を表示する表示部と、
前記表示部に表示された最寄りの別路線名が操作部により選択されると前記インターネットに接続して前記Ｗｅｂサーバからの最寄りの別路線のデータを取得するように制御する制御手段とを備えたことを特徴とする携帯端末装置。
【請求項９】
公共交通機関の掲示板や停留所を撮影するためのカメラを有しインターネットに接続可能な携帯端末装置、及び前記携帯端末装置との間で無線によりデータの送受信を行う無線基地局を備えた停留所通知システムに用いられるＷｅｂサーバに、前記カメラで撮影された掲示板の画像や停留所の画像とデータベース情報とを照合する処理、及び前記公共交通機関の行き先、停留所名及び最寄りの別路線名を前記携帯端末装置へ送信する処理を実行させることを特徴とするプログラム。
【請求項１０】
公共交通機関の掲示板や停留所を撮影するためのカメラを有し、インターネットを介してパケットを含むデータ通信可能な携帯端末装置、前記携帯端末装置との間で無線によりデータの送受信を行う無線基地局、前記無線機基地局に接続されパケットの授受を行うためのパケット網、前記パケット網に接続されたゲートウェイ、及び前記ゲートウェイに接続されたインターネットを備えた停留所通知システムに用いられるＷｅｂサーバに、前記カメラで撮影された掲示板の画像や停留所の画像とデータベース情報とを照合する処理、及び前記公共交通機関の行き先、停留所名及び最寄りの別路線名を前記携帯端末装置へ送信する処理を実行させることを特徴とするプログラム。
【請求項１１】
前記Ｗｅｂサーバに、前記携帯端末装置に表示された、前記停留所名の一覧画像における各停留所に最寄りの別路線名が選択されると、前記最寄りの別路線に関する情報を前記ヶ板端末装置に表示させるため、前記最寄りの別路線に関するデータを取得して前記無線基地局を介して前記携帯端末装置に送信する処理を実行させることを特徴とする請求項８または９に記載のプログラム。
【請求項１２】
請求項９から１１のいずれか１項に記載のプログラムを記録したことを特徴とする記録媒体。
【発明の詳細な説明】
【技術分野】
【０００１】
本発明は、公共交通機関における停留所を確認するための停留所通知方法、停留所通知システム、Ｗｅｂサーバ、携帯端末装置、プログラム、及び記録媒体に関する。
【背景技術】
【０００２】
公共交通機関における初めて訪れる駅やバス停で降車したとき、目的の行き先に行くためのバス路線でどの経路を選べば良いか、悩むことが頻繁にある。従来は、経路選択において運行会社の社員に確認するか、近くで見つけた人に質問等をして確認していた。
【０００３】
一方、携帯電話機、ＰＨＳ、ＰＤＡ等の携帯端末装置の多くはカメラを内蔵している。また、昨今の携帯端末装置はインターネット接続が可能であるだけでなく、インターネットとの連携サービスが多様化している（例えば、特許文献１、２参照）。
【特許文献１】特開２００５−３４５１５１号公報
【特許文献２】特開２００６−２６８３９２号公報
【発明の開示】
【発明が解決しようとする課題】
【０００４】
しかしながら、上述した従来技術では降車場所（停留所）が一通りしか表示されず、他の降車場所を検索するためにはその都度検索し直さなければならない不便さがあった。
【０００５】
そこで、本発明の目的は、検索が容易な停留所通知方法、停留所通知システム、Ｗｅｂサーバ、携帯端末装置、プログラム、及び記録媒体を提供することにある。
【課題を解決するための手段】
【０００６】
上記課題を解決するため、請求項１に記載の発明は、携帯端末装置で撮影した公共交通機関の掲示板や停留所の画像をＷｅｂサーバのデータベースと比較して、前記公共交通機関の行き先、停留所名、及び最寄りの別路線名を前記携帯端末装置へ送信することを特徴とする。
【０００７】
請求項１に記載の発明によれば、Ｗｅｂサーバがカメラで撮影された掲示板の画像や停留所の画像とデータベース情報とを照合して公共交通機関の行き先、停留所名、及び最寄りの別路線名を携帯端末装置へ送信するので、他の降車場所を検索する際に検索し直す必要がなくなり、検索が容易となる。
【０００８】
請求項２に記載の発明は、公共交通機関の掲示板や停留所を撮影するためのカメラを有し、インターネットに接続可能な携帯端末装置と、前記携帯端末装置との間で無線によりデータの送受信を行う無線基地局と、前記無線基地局と前記インターネットで接続され、前記カメラで撮影された掲示板の画像や停留所の画像とデータベース情報とを照合して前記公共交通機関の行き先、停留所名、及び最寄りの別路線名を前記携帯端末装置へ送信するためのＷｅｂサーバとを備えたことを特徴とする。
【０００９】
請求項２に記載の発明によれば、Ｗｅｂサーバがカメラで撮影された掲示板の画像や停留所の画像とデータベース情報とを照合して公共交通機関の行き先、停留所名、及び最寄りの別路線名を携帯端末装置へ送信するので、他の降車場所を検索する際に検索し直す必要がなくなり、検索が容易となる。
【００１０】
請求項３に記載の発明は、公共交通機関の掲示板や停留所を撮影するためのカメラを有し、インターネットを介してパケットを含むデータ通信可能な携帯端末装置と、前記携帯端末装置との間で無線によりデータの送受信を行う無線基地局と、前記無線機基地局に接続されパケットの授受を行うためのパケット網と、前記パケット網に接続されたゲートウェイと、前記ゲートウェイに接続されたインターネットと、前記インターネットに接続され、前記カメラで撮影された掲示板の画像や停留所の画像とデータベース情報とを照合して前記公共交通機関の行き先、停留所名及び最寄りの別路線名を前記携帯端末装置へ送信するためのＷｅｂサーバとを備えたことを特徴とする。
【００１１】
請求項３に記載の発明によれば、Ｗｅｂサーバがカメラで撮影された掲示板の画像や停留所の画像とデータベース情報とを照合して公共交通機関の行き先、停留所名、及び最寄りの別路線名を携帯端末装置へ送信するので、他の降車場所を検索する際に検索し直す必要がなくなり、検索が容易となる。
【００１２】
請求項４に記載の発明は、請求項２または３に記載の発明において、前記携帯端末装置は、前記停留所名の一覧画像における各停留所に最寄りの別路線名を表示すると共に、前記最寄りの別路線名が選択されると、前記Ｗｅｂサーバにアクセスし、前記Ｗｅｂサーバは、アクセスされると前記最寄りの別路線に関するデータを取得して前記無線基地局を介して前記携帯端末装置に送信し、前記携帯端末装置は、前記最寄りの別路線に関する情報を表示するようにしたことを特徴とする。
【００１３】
請求項４に記載の発明によれば、Ｗｅｂサーバがカメラで撮影された掲示板の画像や停留所の画像とデータベース情報とを照合して公共交通機関の行き先、停留所名、及び最寄りの別路線名を携帯端末装置へ送信するので、他の降車場所を検索する際に検索し直す必要がなくなり、検索が容易となる。
【００１４】
請求項５に記載の発明は、公共交通機関の掲示板や停留所を撮影するためのカメラを有しインターネットに接続可能な携帯端末装置、及び前記携帯端末装置との間で無線によりデータの送受信を行う無線基地局を備えた停留所通知システムに用いられ、前記無線基地局と前記インターネットで接続され、前記カメラで撮影された掲示板の画像や停留所の画像とデータベース情報とを照合して前記公共交通機関の行き先、停留所名及び最寄りの別路線名を前記携帯端末装置へ送信することを特徴とする。
【００１５】
請求項５に記載の発明によれば、Ｗｅｂサーバがカメラで撮影された掲示板の画像や停留所の画像とデータベース情報とを照合して公共交通機関の行き先、停留所名、及び最寄りの別路線名を携帯端末装置へ送信するので、他の降車場所を検索する際に検索し直す必要がなくなり、検索が容易となる。
【００１６】
請求項６に記載の発明は、公共交通機関の掲示板や停留所を撮影するためのカメラを有し、インターネットを介してパケットを含むデータ通信可能な携帯端末装置、前記携帯端末装置との間で無線によりデータの送受信を行う無線基地局、前記無線機基地局に接続されパケットの授受を行うためのパケット網、前記パケット網に接続されたゲートウェイ、及び前記ゲートウェイに接続されたインターネットを備えた停留所通知システムに用いられ、前記無線基地局とインターネットで接続され、前記カメラで撮影された掲示板の画像や停留所の画像とデータベース情報とを照合して前記公共交通機関の行き先、停留所名及び最寄りの別路線名を前記携帯端末装置へ送信することを特徴とする。
【００１７】
請求項６に記載の発明によれば、Ｗｅｂサーバがカメラで撮影された掲示板の画像や停留所の画像とデータベース情報とを照合して公共交通機関の行き先、停留所名、及び最寄りの別路線名を携帯端末装置へ送信するので、他の降車場所を検索する際に検索し直す必要がなくなり、検索が容易となる。
【００１８】
請求項７に記載の発明は、請求項５または６に記載の発明において、前記携帯端末装置に表示された、前記停留所名の一覧画像における各停留所に最寄りの別路線名が選択されると、前記最寄りの別路線に関する情報を前記ヶ板端末装置に表示させるため、前記最寄りの別路線に関するデータを取得して前記無線基地局を介して前記携帯端末装置に送信することを特徴とする。
【００１９】
請求項７に記載の発明によれば、Ｗｅｂサーバがカメラで撮影された掲示板の画像や停留所の画像とデータベース情報とを照合して公共交通機関の行き先、停留所名、及び最寄りの別路線名を携帯端末装置へ送信するので、他の降車場所を検索する際に検索し直す必要がなくなり、検索が容易となる。
【００２０】
請求項８に記載の発明は、公共交通機関の掲示板や停留所を撮影するためのカメラ部と、インターネットを介してＷｅｂサーバに接続される無線基地局に対し前記カメラで撮影された掲示板の画像や停留所の画像を送信し、前記Ｗｅｂサーバにより前記掲示板の画像や前記停留所の画像とデータベース情報とが照合されて得られた前記公共交通機関の行き先、前記停留所名、及び前記最寄りの別路線名のデータを受信する無線部と、前記無線部で受信した前記公共交通機関の行き先、停留所名、及び最寄りの別路線名を表示する表示部と、前記表示部に表示された最寄りの別路線名が操作部により選択されると前記インターネットに接続して前記Ｗｅｂサーバからの最寄りの別路線のデータを取得するように制御する制御手段とを備えたことを特徴とする。
【００２１】
請求項８に記載の発明によれば、Ｗｅｂサーバがカメラで撮影された掲示板の画像や停留所の画像とデータベース情報とを照合して公共交通機関の行き先、停留所名、及び最寄りの別路線名を携帯端末装置へ送信するので、他の降車場所を検索する際に検索し直す必要がなくなり、検索が容易となる。
【００２２】
請求項９に記載の発明は、公共交通機関の掲示板や停留所を撮影するためのカメラを有しインターネットに接続可能な携帯端末装置、及び前記携帯端末装置との間で無線によりデータの送受信を行う無線基地局を備えた停留所通知システムに用いられるＷｅｂサーバに、前記カメラで撮影された掲示板の画像や停留所の画像とデータベース情報とを照合する処理、及び前記公共交通機関の行き先、停留所名及び最寄りの別路線名を前記携帯端末装置へ送信する処理を実行させることを特徴とする。
【００２３】
請求項９に記載の発明によれば、Ｗｅｂサーバがカメラで撮影された掲示板の画像や停留所の画像とデータベース情報とを照合して公共交通機関の行き先、停留所名、及び最寄りの別路線名を携帯端末装置へ送信するので、他の降車場所を検索する際に検索し直す必要がなくなり、検索が容易となる。
【００２４】
請求項１０に記載の発明は、公共交通機関の掲示板や停留所を撮影するためのカメラを有し、インターネットを介してパケットを含むデータ通信可能な携帯端末装置、前記携帯端末装置との間で無線によりデータの送受信を行う無線基地局、前記無線機基地局に接続されパケットの授受を行うためのパケット網、前記パケット網に接続されたゲートウェイ、及び前記ゲートウェイに接続されたインターネットを備えた停留所通知システムに用いられるＷｅｂサーバに、前記カメラで撮影された掲示板の画像や停留所の画像とデータベース情報とを照合する処理、及び前記公共交通機関の行き先、停留所名及び最寄りの別路線名を前記携帯端末装置へ送信する処理を実行させることを特徴とするプログラム。
【００２５】
請求項１０に記載の発明によれば、Ｗｅｂサーバがカメラで撮影された掲示板の画像や停留所の画像とデータベース情報とを照合して公共交通機関の行き先、停留所名、及び最寄りの別路線名を携帯端末装置へ送信するので、他の降車場所を検索する際に検索し直す必要がなくなり、検索が容易となる。
【００２６】
請求項１１に記載の発明は、請求項８または９に記載の発明において、前記Ｗｅｂサーバに、前記携帯端末装置に表示された、前記停留所名の一覧画像における各停留所に最寄りの別路線名が選択されると、前記最寄りの別路線に関する情報を前記ヶ板端末装置に表示させるため、前記最寄りの別路線に関するデータを取得して前記無線基地局を介して前記携帯端末装置に送信する処理を実行させることを特徴とする。
【００２７】
請求項１１に記載の発明によれば、Ｗｅｂサーバがカメラで撮影された掲示板の画像や停留所の画像とデータベース情報とを照合して公共交通機関の行き先、停留所名、及び最寄りの別路線名を携帯端末装置へ送信するので、他の降車場所を検索する際に検索し直す必要がなくなり、検索が容易となる。
【００２８】
請求項１２に記載の発明は、請求項９から１１のいずれか１項に記載のプログラムを記録した記録媒体であることを特徴とする。
【００２９】
請求項１２に記載の発明によれば、Ｗｅｂサーバがカメラで撮影された掲示板の画像や停留所の画像とデータベース情報とを照合して公共交通機関の行き先、停留所名、及び最寄りの別路線名を携帯端末装置へ送信するので、他の降車場所を検索する際に検索し直す必要がなくなり、検索が容易となる。
【００３０】
すなわち、本発明は、携帯端末装置に内蔵したカメラを使用して、公共交通機関の掲示板や停留所を撮影したデータと、Ｗｅｂサーバのデータベース情報と照合して、行き先、停車場所、及び最寄りの別路線名を通知することを特徴とする。つまり、本発明によれば、携帯端末装置に内蔵するカメラで撮影した駅や停留所の表示画像をインターネット経由のＷｅｂサーバと照合する技術を使用して、目的とする降車場所があるか否かを事前に確認することができる。
【発明の効果】
【００３１】
本発明によれば、Ｗｅｂサーバがカメラで撮影された掲示板の画像や停留所の画像とデータベース情報とを照合して公共交通機関の行き先、停留所名、及び最寄りの別路線名を携帯端末装置へ送信するので、他の降車場所を検索する際に検索し直す必要がなくなり、検索が容易となる。
【発明を実施するための最良の形態】
【００３２】
本発明に係る携帯端末装置、Ｗｅｂサーバを用いた停留所通知システムの一実施の形態について説明する。
図１は、本発明に係る携帯端末装置とＷｅｂサーバとを含めた停留所通知システムの概念図であり、図２は、本発明に係る携帯端末装置の構成を示す図である。
図１に示す停留所通知システムは、携帯端末装置１と、携帯端末装置１との間でパケットデータを含む信号の授受を行う無線基地局２と、無線基地局２に接続されたパケット網３と、パケット網３に接続されたゲートウェイ４と、ゲートウェイ４に接続されたインターネット５と、インターネット５に接続されると共に公共交通機関の路線のデータベースを有するＷｅｂサーバ６とで構成されている。
【００３３】
携帯端末装置１は、公共交通機関の掲示板や停留所を撮影するためのカメラを有し、インターネットを介してパケットを含むデータ通信が可能である。
無線基地局２は、携帯端末装置１との間で無線によりデータの送受信を行う。
パケット網３は、データ通信の際、データを細かく分割して伝送するためのデータの単位であるパケットのネットワークである。
ゲートウェイ４は、ネットワーク上で媒体やプロトコルが異なるデータを相互に変換して通信を可能にする機器である。
Ｗｅｂサーバ６は、携帯端末装置のカメラで撮影された掲示板の画像や停留所の画像とデータベース情報とを照合して公共交通機関の行き先、停留所名及び最寄りの別路線名を携帯端末装置１へ送信する機器である。
【００３４】
図２に示す携帯端末装置１は、停留所や掲示板を撮影するためのカメラとしてのカメラ部（例えば、ＣＣＤ）１０と、撮影した停留所等の写り具合を確認したりＷｅｂサーバ６（図１参照）との照合結果を表示したりするための表示部（例えば、液晶表示素子）１１と、検索目的等を設定する操作部（例えば、テンキー）１４と、これらの一連の制御をする制御部（例えば、ＣＰＵ）１２と、無線部１３とで構成されている。
【００３５】
本発明に係る携帯端末装置１で撮影した画像データは、携帯端末装置１が無線基地局２と接続されると、パケット網３、ゲートウェイ４、及びインターネット５を経由してＷｅｂサーバ６に接続される。Ｗｅｂサーバ６と照合した結果は携帯端末装置１に戻され、路線情報が表示部１４に表示される。
【００３６】
〔動作の説明〕
次に図面を参照して動作の説明をする。
図３は、図１に示した停留所通知システムの動作を説明するフローチャートであり、図４は、図２に示した携帯端末装置の表示部の表示画像の一例である。図５は、図４に示した表示画面のカーソルを移動した状態を示す図である。図６は、図５に示した表示画面のうちのカーソルで示した部分を選択したときの状態を示す図である。図７は、図６に示した表示画面のうちの任意の部分を選択したときの状態を示す図である。
尚、動作を把握し易くする為に、これよりバス停の撮影における、経路検索を例にして記載する。
【００３７】
携帯端末装置１の使用者によって、現在居る場所の停留所とそのバス路線を確認する為に、携帯端末装置１で停留所名が記載された表示が見える方向から、携帯端末装置１１の操作部１４を操作して撮影される（ステップＳ１０１）。
次に携帯端末装置１の操作部１４の操作によりインターネットに接続し（ステップＳ１０２）、インターネット経由で接続しているＷｅｂサーバ６の公共交通路線案内に接続する（ステップＳ１０３）。
その後、携帯端末装置１で撮影した画像からバス運行会社、経路、停留所名が判る情報をＷｅｂサーバ６で抽出し、Ｗｅｂサーバ６で保有するデータと比較することにより、照合結果があるか否かを判断する（ステップＳ１０４）。
照合結果が無いと判断した場合（ステップＳ１０４／Ｎｏ）は終了し、照合結果が有ると判断した場合（ステップＳ１０４／Ｙｅｓ）は、携帯端末装置１の使用者から送られた画像データを割り出したＷｅｂサーバ６は検索結果を携帯端末装置１に照合結果を通知し（ステップＳ１０５）、携帯端末装置１の無線部１３、制御部１２を介して表示部１１に結果を表示する（ステップＳ１０６）。
【００３８】
表示部１１に表示された結果の一例を図４に示す。
この例では、携帯端末装置１の使用者がバス停の「○×市役所」の部分を撮影して得られたＷｅｂサーバ６との検索結果を表している。ここで、このバス停が表示されているバス運行会社の系路の中の一部であり、目的のバス停の有無を確認することが可能となる。
【００３９】
また、本発明に係る停留所通知システムは、撮影した停留所（または駅）から徒歩で到着できる停留所（または駅）がある場合は、その停留所（または駅）の一覧情報も合わせて取得することを特徴とする。
例えば、バス停の「○×市役所」を携帯端末装置のカメラで撮影したとき、「○×市役所」の停留所から徒歩で到達できる範囲（例えば、１５０ｍ）に、別路線の「停留所ア」、「停留所α」、「停留所１」、「停留所ａ」（図６参照）があった場合は、その一覧も合わせて取得する（但し、撮影した「○×市役所」と同路線（図４の場合「○○駅」、「停留所Ａ」）は既に取得しているので、これらは１５０ｍ以内であっても除くこととする。）。
取得した停留所一覧を表示する画面例としては、図４で「○○駅」、「○×市役所」、「停留所Ａ」、「停留所Ｂ」、…と縦（横であってもよい。）に並んでいる画面において、「・○×市役所」の行を「○×市役所→最寄りの別路線」等と横に並べて（下向き矢印↓を用いて縦に並べてもよい）表示して、「最寄りの別路線」の部分を携帯端末装置の操作部で選択できるようになっている（アンダーラインで示したカーソル部分の文字は他の文字よりポイント数の大きい文字を用いてもよい）。
使用者が操作部によりその「最寄りの別路線」の部分にカーソルを移動させ（図５参照）、選択すると図６に示すように最寄りの徒歩圏の停留所一覧が表示され（「停留所ア」、「停留所α」、「停留所１」、「停留所あ」、「停留所ａ」）、例えば、「停留所ア」を選択すると、携帯端末装置は再びＷｅｂにアクセスし、該当情報を取得し、表示部の画面に「停留所ア」の路線情報（図４の「○×市役所」に関する画面を、「停留所ア」に関する情報で全て置き換えた画面：図７参照）を表示する。
【００４０】
これにより、停留所の近場の路線についても調べることができるため、未知の場所で停留所を発見し、それが自分の目的地と関係のない路線であっても、その停留所から最寄りの停留所を検索することによって、目的地を経由する別路線を発見することができる。
実装にあたっては、単にＷｅｂサーバ側に「最寄りの停留所」のデータを備えるだけで実現できる。
【００４１】
なお、上述した実施の形態は、本発明の好適な実施の形態の一例を示すものであり、本発明はそれに限定されることなく、その要旨を逸脱しない範囲内において、種々変形実施が可能である。
本発明の他の実施形態として、その基本的構成は上記の通りであるが、駅ホームの行き先表示板の撮影についても同様な使用法が可能になる。
【００４２】
また、検索結果表示方法については、テキスト文字表示、グラフィック表示等のどの手段を使用しても構わない。
更に、経路上のバス停や駅に関する付近の店舗情報や立ち寄り場所等の付加価値情報を提供しても良い。
【００４３】
このようにして、本発明に係る停留所通知システムにより、公共交通機関の掲示板や停留所を撮影した結果から停車する場所を確認することができる。
【００４４】
＜プログラム及び記憶媒体＞
以上で説明した本発明の停留所通知システムは、Ｗｅｂサーバで処理を実行させる以下のプログラムによって実現されている。
すなわち、公共交通機関の掲示板や停留所を撮影するためのカメラを有しインターネットに接続可能な携帯端末装置、及び携帯端末装置との間で無線によりデータの送受信を行う無線基地局を備えた停留所通知システムに用いられるＷｅｂサーバに、カメラで撮影された掲示板の画像や停留所の画像とデータベース情報とを照合する処理、及び公共交通機関の行き先、停留所名及び最寄りの別路線名を携帯端末装置へ送信する処理を実行させるプログラムが挙げられる。
【００４５】
また、公共交通機関の掲示板や停留所を撮影するためのカメラを有し、インターネットを介してパケットを含むデータ通信可能な携帯端末装置、携帯端末装置との間で無線によりデータの送受信を行う無線基地局、無線機基地局に接続されパケットの授受を行うためのパケット網、パケット網に接続されたゲートウェイ、及びゲートウェイに接続されたインターネットを備えた停留所通知システムに用いられるＷｅｂサーバに、カメラで撮影された掲示板の画像や停留所の画像とデータベース情報とを照合する処理、及び公共交通機関の行き先、停留所名及び最寄りの別路線名を携帯端末装置へ送信する処理を実行させるプログラムであってもよい。
【００４６】
Ｗｅｂサーバとしては、例えばパーソナルコンピュータやワークステーションなどの汎用的なものが挙げられるが、本発明はこれに限定されるものではない。
【００４７】
これにより、プログラムが実行可能なコンピュータ環境さえあれば、どこにおいても本発明に係る停留所通知システムを実現することができる。
このようなプログラムは、コンピュータに読み取り可能な記憶媒体に記憶されていてもよい。
ここで、記憶媒体としては、例えば、ＣＤ−ＲＯＭ（Compact Disc Read Only Memory）、フレキシブルディスク（ＦＤ）、ＣＤ−Ｒ（CD Recordable）、ＤＶＤ（Digital Versatile Disk）などのコンピュータで読み取り可能な記憶媒体、ＨＤＤ（Hard Disc Driver）、フラッシュメモリ、ＲＡＭ（Random Access Memory）、ＲＯＭ（Read Only Memory）、ＦｅＲＡＭ（強誘電体メモリ）等の半導体メモリが挙げられる。
【００４８】
〔効果の説明〕
以上説明したように、本発明においては、以下に記載するような効果を奏する。
第１の効果は、現在地におけるバス停とバス路線の経路が携帯端末装置１の表示部１１で確認できる為、乗車すべきバス路線を間違えずにすむことである。
【００４９】
第２の効果は行き先確認する為にバスの運転手に確認したり、バス停近くの人に教えてもらったりすることなく乗車の可否を判断できる為、待ち時間等の無駄な時間を省くことが出来る。
【００５０】
第３の効果は携帯端末装置１の保有者が複数の路線を持つバスターミナルに到着した際、それぞれのバス路線を確認することで、乗車すべき路線の間違いのない選択が可能になる。
【図面の簡単な説明】
【００５１】
【図１】携帯端末装置とＷｅｂサーバとを含めた停留所通知システムの概念図である。
【図２】本発明に係る携帯端末装置の構成を示す図である。
【図３】図１に示した停留所通知システムの動作を説明するフローチャートである。
【図４】図２に示した携帯端末装置の表示部の表示画像の一例である。
【図５】図４に示した表示画面のカーソルを移動した状態を示す図である。
【図６】図５に示した表示画面のうちのカーソルで示した部分を選択したときの状態を示す図である。
【図７】図６に示した表示画面のうちの任意の部分を選択したときの状態を示す図である。
【符号の説明】
【００５２】
１    携帯端末装置
２    無線基地局
３    パケット網
４    ゲートウェイ
５    インターネット
６    Ｗｅｂサーバ
【図１】
2008180527.tif 000003
【図２】
2008180527.tif 000004
【図３】
2008180527.tif 000005
【図４】
2008180527.tif 000006
【図５】
2008180527.tif 000007
【図６】
2008180527.tif 000008
【図７】
2008180527.tif 000009